(57)【要約】【課題】携帯電話機等の携帯電子機器への取付を容易に行える携帯電子機器用アクセサリを提供する。【解決手段】上下を逆にした２方向の携帯電子機器のコネクタ部の嵌合凹部への挿入を可能にする形状に取付部１３を形成する。この取付部１３を携帯電子機器の嵌合凹部に挿入して、アクセサリ本体１２を携帯電子機器に取り付ける。嵌合凹部が、断面ほぼ矩形状に形成されていると共に、取付部１３が、該取付部を嵌合凹部に挿入するとき、嵌合凹部の４つの各内壁の一部または全部に摺接するように形成されていることが好ましい。【選択図】        図１
2004159272.tif 000002
【特許請求の範囲】
【請求項１】
アクセサリ本体の取付部を携帯電子機器のコネクタ部の嵌合凹部に挿入して、アクセサリ本体を携帯電子機器に取り付ける携帯電子機器用アクセサリにおいて、前記取付部を、上下を逆にした２方向の前記嵌合凹部への挿入を可能にする形状に形成したことを特徴とする携帯電子機器用アクセサリ。
【請求項２】
前記嵌合凹部が、断面ほぼ矩形状に形成されていると共に、前記取付部が、該取付部を前記嵌合凹部に挿入するとき、前記嵌合凹部の４つの各内壁の一部または全部に摺接するように形成されている請求項１に記載の携帯電子機器用アクセサリ。
【請求項３】
前記取付部に、該取付部を前記嵌合凹部に挿入したとき、前記嵌合凹部の係合部と係合するロック機構を設けた請求項１又は２に記載の携帯電子機器用アクセサリ。
【請求項４】
前記ロック機構が、前記取付部を前記嵌合凹部に挿入したとき、前記係合部と係合する出没可能な第１突部と、この取付部を上下を逆にして前記嵌合凹部に嵌合させたとき、前記係合部と係合する出没可能な第２突部とからなる請求項３に記載の携帯電子機器用アクセサリ。
【請求項５】
前記取付部が断面ほぼ矩形状に形成され、該取付部の両側部に、当該取付部を前記嵌合凹部に挿入したとき、前記嵌合凹部の係合部と係合する出没可能な第１突部と、この取付部を上下を逆にして前記嵌合凹部に嵌合させたとき、前記係合部と係合する出没可能な第２突部とをそれぞれ配設した請求項２に記載の携帯電子機器用アクセサリ。
【請求項６】
前記取付部が断面ほぼ矩形状に形成され、該取付部の上下面のどちらか一方の両端部近傍に、当該取付部を前記嵌合凹部に挿入したとき、前記嵌合凹部の係合部と係合する出没可能な第１突部をそれぞれ配設すると共に、他方の面の両端部近傍に、この取付部を上下を逆にして前記嵌合凹部に挿入したとき、前記係合部と係合する出没可能な第２突部をそれぞれ配設した請求項２に記載の携帯電子機器用アクセサリ。
【発明の詳細な説明】
【０００１】
【発明の属する技術分野】
本発明は、携帯電話機等の携帯電子機器のコネクタ部に取り付けるストラップ、ネックストラップ等の携帯電話機用のアクセサリに関するものである。
【０００２】
【従来の技術】
携帯電子機器、例えば、携帯電話機は、近年、急速に老若男女多数の人に使用されており、そのアクセサリも様々なものがある。携帯電話機用のアクセサリとしては、例えば、ストラップ、ネックストラップ等の携帯性を良好にするものや、キャラクターを取り付けてファッション性、視覚性等を良好にするもの等がある。
例えば、ストラップ、ネックストラップは、携帯電話機を持ちやすくしたり、携帯電話機を衣服に固定したり、携帯電話機を首等の体の一部に保持したり等するものである。
【０００３】
従来のネックストラップは、携帯電話機に取り付けるループ状の細紐（取付部）と、首等に掛けられるべく人の頭部を挿通可能な大きさのループ状の太紐（保持部）とを連結部を介して接続した構造となっている。
例えば、携帯電話機の四隅の何れか一つには、その側面及び裏面等にかけて貫通した取付孔が設けられており、この取付孔に、ネックストラップの細紐の一部又は全部を挿入させて貫通させる。貫通させたループ状の細紐に、取付孔に挿入していない保持部を貫通させて、この貫通させた保持部を細紐から離間する方向に引っ張ることにより、ネックストラップを携帯電話機に取り付けることができる。
【０００４】
このように、ネックストラップを携帯電話機に取り付けることができるが、ネックストラップの取付が簡単には行えない。つまり、ネックストラップの細紐はその形状を保持できないような細さであり、しかも、ストラップ等を取り付ける携帯電話機の取付孔は、例えば、ほぼ直角に曲がって形成されているので、細紐を携帯電話機の取付孔に挿入しても、直角に曲っている内壁にぶつかって取付孔を貫通させることが難しいことがあった。
【０００５】
また、ネックストラップの取付部が細紐で形成されて、例えば、首に太紐をかけて携帯電話機を保持する場合、携帯電話機が首からぶら下がった状態であるため、携帯電話機が体の一部に接触しないで体から離れていると、携帯電話機の重みにより細紐が捩れて携帯電話機が回転することがあり、その場合、利便性がよくない。
【０００６】
ネックストラップとしては、携帯電話機の取付孔を利用しないで取付を行えると共に、携帯電話機の回転を抑制するネックストラップが提案されている（特許文献１等）。このネックストラップは、取付部を携帯電話機のコネクタ部に挿入嵌合し得る形状に形成してなるものである。
【０００７】
このように、携帯電話機の取付孔を利用しないで、携帯電話機のコネクタ部に取付部を挿入嵌合することにより、ネックストラップを取り付けることができるので、細紐の場合に比して取付性が向上する。また、取付部が携帯電話機のコネクタ部に挿入嵌合されるため、携帯電話機が体の一部に接触することなく首からぶら下がった状態であっても、取付部を起点として携帯電話機が回転することがない。
【０００８】
【特許文献１】
特開２００１−２５１４０７号公報
【０００９】
【発明が解決しようとする課題】
ところで、携帯電話機のコネクタ部は、一般的にはメス型のコネクタであり、このコネクタ部には、例えば１６個のコネクタ端子を有する端子部が深さ方向に沿って立設されている。このコネクタ部に、携帯電話機の内蔵電池を充電する充電端子部や、他の機器と通信する端子部等が挿入嵌合されて、携帯電話機と外部装置等とが電気的に接続される。このため、充電端子部とコネクタ部との挿入嵌合が上下逆に行われないように、コネクタ部の２つの対向する長壁部をそれぞれ別の形状に形成している。つまり、２つの長壁部には、溝や突出した部分（突条）等がそれぞれ別の形状や位置等に設けられて、異なった形状に形成されている。
例えば、充電端子部は、そのコネクタ部に一方向のみしか挿入嵌合できないようコネクタ部の内壁に沿った形状に形成されており、充電端子部を上下を逆にして挿入嵌合しようとしてもできないようになっている。
【００１０】
前述のネックストラップの取付部も、充電端子部とほぼ同様な外形、つまり一方向のみの挿入嵌合を許容する形状に形成されており、取付部を上下を逆にしてコネクタ部に挿入できないようになっている。
【００１１】
このように、ネックストラップの取付部は、コネクタ部に一方向のみしか挿入嵌合できないように形成されているが、断面ほぼ細長の矩形状に形成されているため、上下面の区別がつき難い。つまり、取付部の上下面（長壁部側の面）のどちらがコネクタ部の長壁部に嵌合するものかは容易にわからず、取付部を上下を間違えてコネクタ部に挿入嵌合しようとすることがある。上下を間違えて挿入しようとしても挿入嵌合はできず、携帯電話機用アクセサリの取付が良好とはいえない。しかも、上下を間違えたことに気づかずに挿入しようとすると、挿入を行えないので、例えばいらつき無理矢理力をこめて押し込もうとして、故障の原因等になることも考えられる。
【００１２】
そこで、本発明は、このような実状に鑑みなされたものであり、その目的は、携帯電話機等の携帯電子機器への取付を容易に行える携帯電子機器用アクセサリを提供することにある。
【００１３】
【課題を解決するための手段】
前記目的を達成するために、本発明の携帯電子機器用アクセサリは、アクセサリ本体の取付部を携帯電子機器のコネクタ部の嵌合凹部に挿入して、アクセサリ本体を携帯電子機器に取り付ける携帯電子機器用アクセサリにおいて、前記取付部を、上下を逆にした２方向の前記嵌合凹部への挿入を可能にする形状に形成したものである。
【００１４】
前記嵌合凹部が、断面ほぼ矩形状に形成されていると共に、前記取付部が、該取付部を前記嵌合凹部に挿入するとき、前記嵌合凹部の４つの各内壁の一部または全部に摺接するように形成されていることが好ましい。
前記取付部に、該取付部を前記嵌合凹部に挿入したとき、前記嵌合凹部の係合部と係合するロック機構を設けることが好ましい。
前記ロック機構が、前記取付部を前記嵌合凹部に挿入したとき、前記係合部と係合する出没可能な第１突部と、この取付部を上下を逆にして前記嵌合凹部に嵌合させたとき、前記係合部と係合する出没可能な第２突部とからなることが好ましい。
【００１５】
前記取付部が断面ほぼ矩形状に形成され、該取付部の両側部に、当該取付部を前記嵌合凹部に挿入したとき、前記嵌合凹部の係合部と係合する出没可能な第１突部と、この取付部を上下を逆にして前記嵌合凹部に嵌合させたとき、前記係合部と係合する出没可能な第２突部とをそれぞれ配設することが好ましい。
前記取付部が断面ほぼ矩形状に形成され、該取付部の上下面のどちらか一方の両端部近傍に、当該取付部を前記嵌合凹部に挿入したとき、前記嵌合凹部の係合部と係合する出没可能な第１突部をそれぞれ配設すると共に、他方の面の両端部近傍に、この取付部を上下を逆にして前記嵌合凹部に挿入したとき、前記係合部と係合する出没可能な第２突部をそれぞれ配設することが好ましい。
【００１６】
【発明の実施の形態】
以下、本発明の実施の形態を添付図面に基づいて詳述する。
図１乃至図４には本発明の第１の携帯電子機器用アクセサリが示されている。図１乃至図４において、１は携帯電子機器用アクセサリを示し、この携帯電子機器用アクセサリ１は、携帯電子機器（携帯電話機）のコネクタ部に取り付けられるものである。
【００１７】
携帯電子機器としては、例えば携帯電話機、携帯情報端末（ＰＤＡ）、モバイルパソコン等の携帯パソコン、携帯ゲーム機等が挙げられ、好ましくは携帯電話機であり、本発明の実施の形態では携帯電話機について説明する。
携帯電話機としては、機種によっていろいろな形状のものがあり特に限定されず、本実施の形態では図１４（及び図１６）に示すように二つ折り収納可能な携帯電話機２について説明する。
【００１８】
携帯電話機２の二つ折りの下部となる下部本体３の端面のほぼ中央部には、通信データの送受信や内蔵されている充電可能な内蔵電池（バッテリー）の充電等を行えるようにインターフェイスコネクタ（コネクタ部）４が設けられている。コネクタ部４は、メス型のコネクタであり、その形状は、携帯電話機が利用する方式によって異なる。携帯電話機の主な方式は、ＰＤＣ（Ｐｅｒｓｏｎａｌ  Ｄｉｇｉｔａｌ  Ｃｅｌｌｕｌａｒｓｙｓｔｅｍ：デジタル携帯電話）とＣＤＭＡ（Ｃｏｄｅ  Ｄｉｖｉｓｉｏｎ  Ｍｕｌｔｉｐｌｅ  Ａｃｃｅｓｓ：符号分割多重接続）との２つがあり、この２つの方式を利用した携帯電話機のコネクタ部は嵌合形状が異なる。図１４に示す携帯電話機２のコネクタ部４は、ＰＤＣ方式を利用したものである。
このコネクタ部４は、下部本体３の長手方向に沿って延在する断面ほぼ細長の矩形状の嵌合凹部５を有する。この嵌合凹部５には、例えば１６個のコネクタ端子を有する端子部６がその深さ方向に沿って立設されている。コネクタ部４は、未使用時、ゴミ等が入らないようにカバー（図示せず）が装着される。
【００１９】
コネクタ部４（嵌合凹部５）を形成する２つの短壁部である両側壁７，７には、例えば携帯電話機２の内蔵電池を充電する充電端子部が嵌合凹部５に挿入嵌合されたとき、充電端子部の係合部である突起部と係合する係合部がそれぞれ設けられている。この係合部は、具体的には断面凹状の係合凹部８であり、嵌合凹部５の深さ方向奥側であって、側壁７の幅方向ほぼ中央部から上面側（表面側）の長壁部（上長壁部）９の近傍にかけて配設されている。
両側壁７，７の係合凹部８を除いた部分は、平面状に形成されている。
【００２０】
上長壁部９と下長壁部（残りの長壁部）１０とには、互いの形状が異なるように形状が異なる溝や突出した部分（突条）が複数設けられている。また、上長壁部９及び／又は下長壁部１０には、さらにメーカー独自の特定溝（図示せず）が設けられ、この特定溝を設けることにより他のメーカーとは異なる形状に形成されている。つまり、特定溝以外の形状は、同機種の携帯電話機であればほぼ同じであり、この形状に挿入嵌合するコネクタはメーカーに関係なく同機種の携帯電話機のコネクタ部に挿入嵌合し得るものであり、これに特定溝を設けることにより、メーカーの独自のコネクタしか使用できないようになっている。
【００２１】
携帯電話機用アクセサリ１としては、携帯電話機２のコネクタ部４に取り付けて使用することができるものならばどのようなものでもよく、例えば、ストラップ、ネックストラップ等の携帯性を良好にするものや、キャラクター形状等のフアッション性、視覚性等を良好にするもの等がある。また、携帯電話機用アクセサリ１としては、弾性材料からなる紐体をコイル状に成形したコイル紐の一端部にクリップ等の取付具を有するものもあげられる。本実施の形態では、図１乃至図４に示すように、携帯電話機用アクセサリ１として、ストラップ、ネックストラップ等の基部となったり、キャラクターを形成する基部となるアクセサリ体１１について詳細に説明する。
【００２２】
アクセサリ体１１は、キャラクターを形成する基部等になる本体（アクセサリ本体）１２と、その本体１２に設けられ、携帯電話機２のコネクタ部４に取り付けられる取付部１３とからなる。
本体１２は、変形し難い材料、例えばプラスチック等の樹脂等により成形され、その形状はどのように形成してもよく、例えば、６面体形状やキャラクター形状に形成してもよい。また、本体１２は、例えばプラスチック等の樹脂により形成した後にこの上を軟質材料で覆って別のものとして形成するようにしてもよい。
本体１２としては、具体的には例えば、図１に示すように、上下面がほぼ矩形状で、携帯電話機２の下部本体３の厚さとほぼ同じ寸法の厚さに形成されたノーマル型の本体、図２に示すように、そのノーマル型の本体の上下面が区別されるように、上下面及びその面のどちらか一方に模様、図形、文字等の修飾を付したノーマル区別型の本体、図３に示すように、輪郭を例えばキャラクター形状に形取った輪郭型の本体、第４図に示すように、全体が例えばキャラクター形状に形取った輪郭立体型の本体等が挙げられる。
【００２３】
また、本体１２の対向する２つの側部１４，１４には、図１乃至図４に示すように、その対向方向に沿って移動可能であると共に本体１２表面から出没可能な操作部１５がそれぞれ設けられている。操作部１５は、弾性部材により本体１２から突出する方向に付勢され、これら操作部１５を指の力によって弾性部材の付勢力に抗して本体１２内に没入することができるように構成されている。
本体１２の残りの側部の一方の側部１６は、細長の矩形状に形成され、この側部１６に取付部１３が設けられている。
【００２４】
取付部１３は、携帯電話機２のコネクタ部４（嵌合凹部５）に挿入されるものである。取付部１３は、携帯電話機２の利用方式によって形状が異なり、本実施の形態では、ＰＤＣ方式を利用した携帯電話機２に対応するものと、ＣＤＭＡ方式を利用した携帯電話機に対応するものとについて説明する。
【００２５】
図１乃至図４にはＰＤＣ方式を利用した携帯電話機２に対応する取付部１３が示されている。
取付部１３は、図１乃至図４に示すように、嵌合凹部５に挿入されるべく断面ほぼ細長の矩形状であって、上下を逆にした２方向の嵌合凹部５への挿入を可能にする形状に形成されている。
取付部１３は、具体的には例えば、携帯電話機２の端子部６が挿入される端子挿入凹部１７が設けられ、この端子挿入凹部１７は中心線を軸に対称に形成されている。
取付部１３の上下面である２つの長壁部１８，１８は、嵌合凹部５への挿入が可能であって、上下を逆にした２方向の嵌合凹部５への挿入が可能となるように同じ形状に形成されている。つまり、長壁部１８，１８は、長壁部１８，１８間の中央に延在する中心線を軸に対称に形成されている。
【００２６】
２つの長壁部１８，１８は、対応する嵌合凹部５の内壁（長壁部９，１０）の全部又は一部に摺接するように溝や突条等を設けることが好ましく、これにより、取付部１３は、嵌合凹部５に挿入されたとき、上下方向への移動が阻止されてがたつかないようになっている。このため、取付部１３は、上下を逆にした２方向の嵌合凹部５への挿入が可能となると共に、上下のがたつきがないならば、壁が連続する長壁部１８に限定されず、長壁部１８の一部を切り欠いたような壁部で構成してもよい。
【００２７】
取付部１３の両側面１９，１９はほぼ平板状に形成されている。
取付部１３の側面１９の間隔は、嵌合凹部５に取付部１３を挿入したとき左右へのがたつきがしないように、嵌合凹部５の両側面１９，１９の一部又は全部にそれぞれ摺接する寸法に形成することが好ましい。
【００２８】
図１１及び図１２にはＣＤＭＡ方式を利用した携帯電話機に対応する取付部が示されている。尚、図１１（ａ）には、本体１２の対向する２つの側部１４，１４にそれぞれ操作部１５が設けられた例の第２の携帯電子機器用アクセサリが示され、その（ｂ）には、本体１２の上面に操作部１５が設けられた例の第２の携帯電子機器用アクセサリが示されている。
取付部は、図１１及び図１２に示すように、対応する携帯電話機の嵌合凹部に挿入嵌合されるべく断面ほぼ細長の矩形状であって、上下を逆にした２方向の嵌合凹部への挿入を可能にする形状に形成されている。
取付部２０は、具体的には例えば、携帯電話機の端子部が挿入される端子挿入凹部２１が設けられ、この端子挿入凹部２１は中心線を軸に対称に形成されている。
取付部２０の上下面である２つの長壁部２２，２２は、嵌合凹部への挿入嵌合が可能であって、上下を逆にした２方向の嵌合凹部への挿入が可能となるように同じ形状に形成されている。つまり、長壁部２２，２２は、長壁部２２，２２間の中央に延在する中心線を軸に対称に形成されている。
【００２９】
２つの長壁部２２，２２は、対応する嵌合凹部の内壁（長壁部）の全部又は一部に摺接するように両縁部にほぼＬ字状に切り欠いた切欠部２３を設けることが好ましく、これにより、取付部２０は、嵌合凹部に挿入されたとき、上下方向への移動が阻止されてがたつかないようになっている。このため、取付部２０は、上下を逆にした２方向の嵌合凹部への挿入が可能となると共に、上下のがたつきがないならば、壁が連続する長壁部２２に限定されず、長壁部２２の一部を切り欠いたような壁部で構成してもよい。
【００３０】
取付部２０の両側面２４，２４は平板状に形成されている。
取付部２０の側面２４，２４の間隔は、嵌合凹部に取付部を挿入したとき左右へのがたつきがしないように、嵌合凹部の両側面の一部にそれぞれ摺接する寸法に形成することが好ましい。
【００３１】
取付部１３，２０には、図１乃至図６に示すように、取付部１３，２０を嵌合凹部５に挿入したとき、嵌合凹部５の係合凹部８と係合するロック機構２５が設けられている。
ロック機構２５は、取付部１３，２０の挿入方向が上下逆の２方向においてそれぞれ係合凹部８と係合するようにすることが好ましく、どのように構成してもよい。また、ロック機構２５は、取付部１３，２０と一体的に形成してもよいし、樹脂、例えば取付部１３，２０と同じ樹脂により個別に形成してもよいし、また、金属片を用いて形成するようにしてもよい。
ロック機構２５は、取付部１３，２０と同様に携帯電話機２が利用する方式によって構造が異なるものであり、例えば、ＰＤＣ方式に対する場合には、図１乃至図４に示すように、取付部１３の両側面１９，１９にロック機構２５が設けられ、ＣＤＭＡ方式に対する場合には、図１１及び図１２に示すように、取付部２０の上下面（長壁部）２２，２２にロック機構２５が設けられる。
【００３２】
ＰＤＣ方式に対する場合には、図１４に示すように、嵌合凹部５の両側壁７，７に係合凹部８がそれぞれ設けられているので、例えば、図１乃至図４に示すように、取付部１３の両側部（側面）１４，１４にそれぞれ第１突部２６と第２突部２７とを設けるようにしてロック機構２５が構成される。
【００３３】
具体的には、取付部１３の両側部１４，１４の表面より若干内側には、平板状の第１、第２金属片２８，２９が側部１４に沿うと共に、側部１４の対向方向に沿って移動可能にそれぞれ設けられている。第１、第２金属片２８，２９は、取付部１３の側部１４の幅方向中央を軸に対称に設けられている。
第１、第２金属片２８，２９の本体１２側は、図５乃至図８に示すように、本体１２内で操作部１５と接する操作接触部３０を介してさらに本体１２内に延在し、この延在している基部が本体１２内で固定されて取付部１３の両側部１４，１４における第１、第２金属片２８，２９の移動を可能にし、操作部１５を付勢する一種の板ばねとして形成されている。
【００３４】
操作接触部３０は、操作部１５の基部と接触する部分であり、どのように形成してもよく、例えば、操作部１５側に突出する屈曲状や湾曲状に形成してもよい。
【００３５】
また、第１、第２金属片２８，２９は、図５及び図６に示すように、それぞれ個別の金属片で形成してもよいし、操作接触部３０の基端部から先端までをその中央で２分割した１つの金属片で形成してもよいし、操作接触部３０の中央部から先端までをその中央で２分割した１つの金属片で形成してもよいし、操作接触部３０の終端部から先端までをその中央で２分割した１つの金属片で形成してもよい。
また、第１、第２金属片２８，２９の基端部は、図７及び図８に示すように、一体的に金属片で連結してもよいし、弾性部材で連結するようにしてもよい。この場合、第１、第２金属片２８，２９の形態は、図７及び図８に示すものに限定されず、例えば、図５及び図６に示す第１、第２金属片２８，２９であってもよいことはいうまでもない。
【００３６】
第１、第２金属片２８，２９の先端部の他の金属片２９，２８とは反対側の側端部（先端外側端部）には、図１乃至図図１０に示すように、取付部１３の両側部１４，１４と対向する方向に沿って側部１４から突出する第１、第２突部２６，２７が一体的（又は個別）に設けられている。つまり、取付部１３には、第１、第２突部２６，２７が出没自在に配設されている。
第１、第２突部２６，２７の突出長は、取付部１３を嵌合凹部５に挿入したとき、第１、第２突部２６，２７が係合凹部８内に進入して係合凹部８と係合すると共に、操作部１５を本体１２内へと没入させたとき、第１、第２突部２６，２７が係合凹部８との係合が解除する、好ましくは側部１４内に完全又はほぼ完全に没入する寸法に形成することが好ましい。
【００３７】
第１、第２突部２６，２７は、例えば、三角形状、半円形状、半楕円形状、矩形状、多角形状等に形成される。第１、第２突部２６，２７は、好ましくは、後端部から先端部にいくにつれて漸次傾斜、又は湾曲していると共に、後端部が突出方向（金属片の長手方向と直交する方向）に沿って延在しているおおよそ直角三角形状に形成することがよい。
【００３８】
第１、第２突部２６，２７は、図１乃至図９（特に図９）に示すように、第１、第２金属片２８，２９の先端外側端部を第１、第２突部２６，２７の分突出させて、この部分をほぼ直角に折り曲げて形成するようにしてもよいし、また、第１、第２金属片２８，２９の先端外側端部とは反対側の端部（先端内側端部）を第１、第２突部２６，２７の分突出させて、この部分をほぼ直角に折り曲げて形成するようにしてもよい。
また、第１、第２突部２６，２７は、図１０に示すように、第１、第２金属片２８，２９の先端側端部を第１、第２突部２６，２７の分突出させて、この部分を含みさらに後端部側の一部を、第１、第２突部２６，２７の分より内側にほぼ直角に折り曲げて形成するようにしてもよいし、また、第１、第２金属片２８，２９の先端内側端部を第１、第２突部２６，２７の分突出させて、この部分を含みさらに後端部側の一部を、第１、第２突部２６，２７の分より内側にほぼ直角に折り曲げて形成するようにしてもよい。このようにして、第１、第２突部２６，２７を形成することにより、第１、第２突部２６，２７が折れ難くなるので、第１、第２突部２６，２７の耐久性が向上する。
【００３９】
ロック機構２５は、ＣＤＭＡ方式に対する場合には、図１１及び図１２に示すように、嵌合凹部の長壁部のどちらか一方の両端部近傍に係合凹部がそれぞれ設けられているので、取付部２０の上下面の一方例えば上面の両端部近傍に、第１突部３１をそれぞれ配設すると共に、下面の両端部近傍に、第２突部３２をそれぞれ配設して構成するようにしてもよい。つまり、第１、第２突部３１，３２の配設位置は、取付部２０を記嵌合凹部に挿入させたとき、例えば、第１突部３１が係合凹部と係合し、この取付部２０を上下を逆にして嵌合凹部に挿入しせたとき、第２突部３２が係合凹部と係合する位置である。
【００４０】
具体的には、取付部２０の切欠部２３内には、平板状の第１、第２金属片３３，３４が取付部２０の厚さ方向に沿うと共に、その厚さ方向に沿って移動可能にそれぞれ設けられている。第１金属片３３は、その一方の側端部が上面近傍に位置されるように配設されていると共に、第２金属片３４は、その一方の側端部が下面近傍に位置されるように配設されている。
【００４１】
第１金属片３３の先端部の上面側の側端部には、上面から突出する第１突部３１が一体的（又は個別）に設けられている。また、第２金属片３４の先端部の下面側の側端部には、下面から突出する第２突部３２が一体的（又は個別）に設けられている。つまり、取付部２０には、第１、第２突部３１，３２が出没自在に配設されている。
これら第１、第２突部の突出長は、取付部を嵌合凹部に挿入したとき、突部が係合凹部内に進入して係合凹部と係合する寸法に形成することが好ましい。
【００４２】
第１、第２突部３１，３２は、例えば、三角形状、半円形状、半楕円形状、矩形状、多角形状等に形成される。第１、第２突部３１，３２は、好ましくは、後端部から先端部にいくにつれて漸次傾斜、又は湾曲していると共に、後端部が突出方向（金属片の長手方向と直交する方向）に沿って延在しているおおよそ直角三角形状に形成することがよい。
【００４３】
さて、このアクセサリ体１１を携帯電話機２に取り付けるには、まず、図１４に示すように、コネクタ部４にカバーが装着されている場合には、そのカバーを外してコネクタ部４を露出させる。
図１乃至図４、図１１に示すような本体１２の両側部１４，１４を（主に操作部）を指で落ちない程度に掴んで、取付部１３，２０を携帯電話機２のコネクタ部４に突き合わせるべく近づける。取付部１３，２０がコネクタ部４の近傍に位置されたら、指の力で操作部１５を本体１２の内部方向に押し込む（押圧する）。第１突部２６，３１、第２突部２７．３２は、操作部１５の移動により、第１金属片２８，３３及び第２金属片２９，３４を介して側部１４内に没入（又はほぼ没入）し、この状態を維持したまま取付部１３，２０をコネクタ部４に挿入する。なお、取付部１３，２０のコネクタ部４への挿入は、操作部１５を押圧しながら行ったが、押圧せずに第１突部２６，３１、第２突部２７．３２を突出させた状態で行うようにしてもよい。
【００４４】
挿入後、操作部１５への押圧力を解除する。すると、嵌合凹部５の係合凹部８に対応するどちらか一方の例えば第１突部２６が係合凹部８内に進入して、係合凹部８と第１突部２６とが係合し、取付部１３、２０がコネクタ部４に係止される。これにより、アクセサリ体１１が携帯電話機２に簡単に外れることなく確実に取り付けられる。
【００４５】
また、取付部１３，２０を、上下を逆にして嵌合凹部５に挿入しようとすると、取付部１３，２０が上下を逆にした２方向の嵌合凹部５への挿入を可能にする形状、例えば対称な形状に形成されているので、取付部１３，２０は嵌合凹部５へと挿入される。挿入後、係合凹部８と第２突部２７とが係合して、取付部１３，２０がコネクタ部４に係止され、アクセサリ体１１が携帯電話機２に簡単に外れることなく確実に取り付けられる。
【００４６】
このように、取付部１３，２０を上下を逆にしてコネクタ部４に挿入することができるため、アクセサリ体１１（携帯電話機用アクセサリ１）を簡単に、しかも、上下を間違えて無理矢理力をこめて挿入しようとした場合に起こり得るかもしれない不具合を心配することなく、取り付けることができる。
なお、携帯電話機のコネクタ部は、断面ほぼ細長の矩形状に形成されているため、取付部も例えば断面ほぼ細長の矩形状に形成されるので、取付部の上下の逆は間違えるかもしれないが、例えば、上下を左右と間違えることはない。
【００４７】
また、アクセサリ体１１（携帯電話機用アクセサリ１）を携帯電話機２から取り外すには、操作部１５を押圧して、第１突部２６又は第２突部２７と係合凹部８との係合を解除した状態で、取付部１３，２０をコネクタ部４から引き抜く。これにより、取付部１３，２０がコネクタ部４から離脱するので、ワンタッチでアクセサリ体１１（携帯電話機用アクセサリ１）を取り外すことができる。
【００４８】
したがって、本発明の携帯電話機用アクセサリ１は、携帯電話機用アクセサリ１の携帯電話機２への脱着を簡単に行えるものである。
【００４９】
また、取付部１３，２０が携帯電話機２のコネクタ部４に挿入されるため、本体１２をネクストラップの基部として利用することにより、携帯電話機２が体の一部に接触することなく首からぶら下がった状態であっても、取付部１３，２０を起点として携帯電話機２が回転することがない。
【００５０】
また、本体の取付部とは反対側の端部に、図１３に示すように、他の部材等に連結等するリング４０を取り付けたり、ストラップやネクストラップ等の紐体４１やリング状の紐体４２を取り付けたり、他の部材等に連結等する連結部材４３，４４を着脱自在に取り付けたりすることにより、本発明のアクセサリ体１１はいろいろな携帯電話機用アクセサリ１に適用することができ、汎用性が高いものである。
【００５１】
また、取付部１３，２０（本体１２）を上下逆にしても携帯電話機２のコネクタ部４に取り付けることができるため、本体１２が例えば図２乃至図４に示すようにキャラクタ形状等に形成されて上下面が区別されているときには、例えばキャラクタの向きと携帯電話機２の向きとが逆になることなく取り付けることができる。すなわち、携帯電話機２のコネクタ部４の上下の向きは、同じ機種によってもメーカーが異なると、逆向きになることがある。この場合、取付部１３，２０の取付方向が一方向であると、キャラクタの正面（上面）と携帯電話機２の向きとが逆にしか取り付けることができなくなるからである。
また、本体１２をキャラクタ形状に形成したときに、脱着を行う操作部１５をキャラクタの一パーツとして同化させることで、見た目もよく違和感ないものとして形成することができる。
【００５２】
よって、例えば、アミューズメントパークやテーマパーク等において、本体１２をそのパークのキャラクタ形状に形成して、入り口等で販売やレンタル等することにより、宣伝効果や販売促進効果を向上することができる。また、本体１２をそのパークのキャラクタ形状に形成したネクストラップの基部として利用することにより、携帯電話機２を首からぶら下げることができ、例えば、連絡を入れたり迷子になったりした場合には連絡を確実に取ることができる。すなわち、携帯電話機２をポケットやカバンの中に入れておくと、携帯電話機２に着信があっても気づかないことがあるが、胸の前にぶら下げておくことにより、その心配もなくなり、本発明の携帯電話機用アクセサリ１は汎用性が高いものである。
【００５３】
【発明の効果】
本発明により、携帯電話機等の携帯電子機器への取付を容易に行える。
【図面の簡単な説明】
【図１】本発明の第１の携帯電子機器用アクセサリを示す斜視図である。
【図２】本発明の第１の携帯電子機器用アクセサリの変形例を示す斜視図である。
【図３】本発明の第１の携帯電子機器用アクセサリの変形例を示す斜視図である。
【図４】本発明の第１の携帯電子機器用アクセサリの変形例を示す斜視図である。
【図５】本発明の第１の金属片を示す斜視図である。
【図６】本発明の第２の金属片を示す斜視図である。
【図７】本発明の第３の金属片を示す斜視図である。
【図８】本発明の第４の金属片を示す斜視図である。
【図９】本発明の突部の一例を示す斜視図である。
【図１０】本発明の突部の他の例を示す斜視図である。
【図１１】本発明の第２の携帯電子機器用アクセサリを示す斜視図である。
【図１２】本発明の第２の携帯電子機器用アクセサリの取付部を示す図であり、その（ａ）は正面図、（ｂ）は平面図、（ｃ）は断面図である。
【図１３】本発明のアクセサリ体の応用例をを示す斜視図である。
【図１４】携帯電話機の一例を示す概略一部斜視図である。
【符号の説明】
１    携帯電子機器用アクセサリ
２    携帯電話機
４    コネクタ部
５    嵌合凹部
８    係合凹部
１１  アクセサリ体
１２  本体（アクセサリ本体）
１３  取付部
１５  操作部
２０  取付部
２５  ロック機構
２６  第１突部
２７  第２突部
３１  第１突部
３２  第２突部
【図１】
2004159272.tif 000003
【図２】
2004159272.tif 000004
【図３】
2004159272.tif 000005
【図４】
2004159272.tif 000006
【図５】
2004159272.tif 000007
【図６】
2004159272.tif 000008
【図７】
2004159272.tif 000009
【図８】
2004159272.tif 000010
【図９】
2004159272.tif 000011
【図１０】
2004159272.tif 000012
【図１１】
2004159272.tif 000013
【図１２】
2004159272.tif 000014
【図１３】
2004159272.tif 000015
【図１４】
2004159272.tif 000016